【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
ロッドの周面に硬化剤液を高圧で径方向に噴射する２か所以上の噴射ノズルを設け、ロッドを地中に挿入し、噴射ノズルから硬化材液を噴射して地盤に混入させながらロッドを軸方向に所定距離引き上げた後ロッドを左方向か右方向に所定角度軸回転する動作を二回以上連続して行うことにより、二段以上の階段状板状改良体をロッドの径方向に２個以上同時造成する階段造成工程を有し、階段造成工程において、ロッドの周方向に隣り合う階段状板状改良体同士の角部所定箇所が接合した態様で四角形の箱型ブロックの改良体を造成することを特徴とする四角形ブロック改良体造成方法。
【請求項２】
ロッドの周面に硬化剤液を高圧で径方向に噴射する２か所以上の噴射ノズルを設け、ロッドを地中に挿入し、噴射ノズルから硬化材液を噴射して地盤に混入させながらロッドを軸方向に所定距離引き上げた後ロッドを左方向か右方向に所定角度軸回転する動作を二回連続して行い、引き続いてロッドを軸方向に所定距離引き上げた後ロッドを最初の軸回転方向の反対方向となる右方向か左方向に所定角度軸回転し、続いてさらにロッドを軸方向に所定距離挿入した後、ロッドを最初の軸回転と反対方向の右方向か左方向に所定角度軸回転することにより、四角形の箱型ブロックをロッドの径方向に２個以上同時造成する箱型ブロック造成工程を有し、箱型ブロック造成工程を所定回数連続して行うことで、ロッドの周方向に隣り合う四角形の箱型ブロック同士の角部所定箇所が接合した態様で四角形の箱型ブロックの改良体を造成することを特徴とする四角形ブロック改良体造成方法。
【請求項３】
ロッドの周面に硬化剤液を高圧で径方向に噴射する３か所以上の噴射ノズルを設け、ロッドを地中に挿入し、噴射ノズルから硬化材液を噴射して地盤に混入させながらロッドを左方向か右方向に所定角度軸回転後軸方向に所定距離引き上げる動作を所定回数連続して行うことにより、螺旋階段状に連続した所定段数の螺旋階段状板状改良体をロッドの径方向に３個以上同時造成する螺旋階段造成工程を有し、螺旋階段造成工程において、ロッドの周方向に隣り合う螺旋階段状板状改良体同士の角部所定箇所が接合した態様で四角形の箱型ブロックの改良体を造成すると共に、四角形の箱型ブロックが積層した形状の円柱状改良体を造成することを特徴とする四角形ブロック改良体造成方法。
【請求項４】
ロッドの周面に設けられる硬化剤液を高圧で径方向に噴射する複数か所の噴射ノズルが、ロッドの軸方向においてそれぞれ所定の高さに配置され、かつそれぞれの噴射ノズルからロッドの中心を結んでなされる挟角が所定角度であることを特徴とする請求項１ないし請求項３のいずれかに記載の四角ブロック改良体造成方法。
【請求項５】
ロッドの周面に設けられる硬化剤液を高圧で径方向に噴射する複数か所の噴射ノズルが、ロッドの軸方向において同じ高さに配置され、かつそれぞれの噴射ノズルからロッドの中心を結んでなされる挟角が所定角度であることを特徴とする請求項１ないし請求項３のいずれかに記載の四角ブロック改良体造成方法。
【手続補正２】
【補正対象書類名】明細書
【補正対象項目名】０００７
【補正方法】変更
【補正の内容】
【０００７】本発明は、上記目的を達成するために、ロッドの周面に硬化剤液を高圧で径方向に噴射する２か所以上の噴射ノズルを設け、ロッドを地中に挿入し、噴射ノズルから硬化材液を噴射して地盤に混入させながらロッドを軸方向に所定距離引き上げた後ロッドを左方向か右方向に所定角度軸回転する動作を二回以上連続して行うことにより、二段以上の階段状板状改良体を前記ロッドの径方向に２個以上同時造成する階段造成工程を有し、階段造成工程において、ロッドの周方向に隣り合う階段状板状改良体同士の角部所定箇所が接合した態様で四角形の箱型ブロックの改良体を造成することを特徴とする。これによれば、従来では出来なかった四角形の箱型ブロックの改良体を容易に造成することができ、かつロッドの周方向に隣り合う階段状板状改良体同士の角部所定箇所が接合した態様のため、四角形の箱型ブロックの改良体を造成するとともに、適用に相応する性能を満たしながら改良率の調節が容易で、かつ改良体全体の強度を向上させることができる上、止水性もしくは流動化抑止性も向上させる。
【手続補正３】
【補正対象書類名】明細書
【補正対象項目名】０００８
【補正方法】変更
【補正の内容】
【０００８】また本発明は、ロッドの周面に硬化剤液を高圧で径方向に噴射する２か所以上の噴射ノズルを設け、ロッドを地中に挿入し、噴射ノズルから硬化材液を噴射して地盤に混入させながらロッドを軸方向に所定距離引き上げた後ロッドを左方向か右方向に所定角度軸回転する動作を二回連続して行い、引き続いてロッドを軸方向に所定距離引き上げた後ロッドを最初の軸回転方向の反対方向となる右方向か左方向に所定角度軸回転し、続いてさらにロッドを軸方向に所定距離挿入した後、ロッドを最初の軸回転と反対方向の右方向か左方向に所定角度軸回転することにより、四角形の箱型ブロックをロッドの径方向に２個以上同時造成する箱型ブロック造成工程を有し、箱型ブロック造成工程を所定回数連続して行うことで、ロッドの周方向に隣り合う四角形の箱型ブロック同士の角部所定箇所が接合した態様で四角形の箱型ブロックの改良体を造成することを特徴とする。これによれば、噴射ノズルでそれぞれ個別に四角形の箱型ブロックを造成することもできる上、同時に２個以上の四角形の箱型ブロックを造成できるため、改良域が小さく限定された場合でも四角形の箱型ブロックを地盤の所定域に造成できる。また、少ない噴射ノズル数で四角形の箱型ブロックが積層した形状の円柱状改良体を造成することもできる。
【手続補正４】
【補正対象書類名】明細書
【補正対象項目名】０００９
【補正方法】変更
【補正の内容】
【０００９】 さらにまた本発明は、ロッドの周面に硬化剤液を高圧で径方向に噴射する３か所以上の噴射ノズルを設け、ロッドを地中に挿入し、噴射ノズルから硬化材液を噴射して地盤に混入させながらロッドを左方向か右方向に所定角度軸回転後軸方向に所定距離引き上げる動作を所定回数連続して行うことにより、螺旋階段状に連続した所定段数の螺旋階段状板状改良体をロッドの径方向に３個以上同時造成する螺旋階段造成工程を有し、螺旋階段造成工程において、ロッドの周方向に隣り合う螺旋階段状板状改良体同士の角部所定箇所が接合した態様で四角形の箱型ブロックの改良体を造成すると共に、四角形の箱型ブロックが積層した形状の円柱状改良体を造成することを特徴とする。これによれば、螺旋階段状に連続した所定段数の螺旋階段状板状改良体を３個以上同時造成できるうえ、ロッドの周方向操作が左方向か右方向の同一方向であり、ロッドの軸方向操作は引き上げに限定された単純かつ連続性のある造成工程で、ロッドの周方向に隣り合う所定段数の螺旋階段状板状改良体同士の角部所定箇所が接合して四角形の箱型ブロックがどんどん造成されていくため、一本の改良体として、効率よく容易に四角形の箱型ブロックが積層した形状の円柱状改良体を造成することができる。
【手続補正５】
【補正対象書類名】明細書
【補正対象項目名】００１０
【補正方法】変更
【補正の内容】
【００１０】また本発明は、ロッドの周面に設けられる硬化剤液を高圧で径方向に噴射する複数か所の噴射ノズルが、ロッドの軸方向においてそれぞれ所定の高さに配置され、かつそれぞれの噴射ノズルからロッドの中心を結んでなされる挟角が所定角度であることを特徴としているので、噴射ノズルの配置により造成したい四角形の箱型ブロックの形状や大きさを設定することが出来るだけでなく、より多数の噴射ノズルを配置することができる。
【手続補正６】
【補正対象書類名】明細書
【補正対象項目名】００１１
【補正方法】変更
【補正の内容】
【００１１】さらにまた本発明は、ロッドの周面に設けられる硬化剤液を高圧で径方向に噴射する複数か所の噴射ノズルが、ロッドの軸方向において同じ高さに配置され、かつそれぞれの噴射ノズルからロッドの中心を結んでなされる挟角が所定角度であることを特徴としているので、噴射ノズルの配置により造成したい四角形の箱型ブロックの形状や大きさを設定できる上、ロッドの周方向に隣り合う各々の改良体同士の角部所定箇所の接合が容易かつ確実に行える。また、造成する箱型ブロックの軸方向の大きさも造成中に連続的に変更出来る上、平行四辺形の箱型ブロックの造成も容易に行うことができる。
【手続補正７】
【補正対象書類名】明細書
【補正対象項目名】００２８
【補正方法】変更
【補正の内容】
【００２８】図２および図３のロッド２１０を用いて、噴射ノズル２１と噴射ノズル２２から硬化材液を噴射させながら、ロッド２１０を軸方向に１．２ｍ引き上げた後右方向（ロッド中心から周方向を見て右方向）に４５°軸回転する動作を二回連続して行うと、一回目の動作により板状改良体ｔ２１と板状改良体ｔ２１’および板状改良体ｔ２２と板状改良体ｔ２２’を造成し、二回目の動作により、板状改良体ｔ２３と板状改良体ｔ２３’ および板状改良体ｔ２４と板状改良体ｔ２４’を図４のように造成する。噴射ノズル２１によって造成された板状改良体ｔ２１と板状改良体ｔ２２と板状改良体ｔ２３と板状改良体ｔ２４からなる階段状板状改良体Ｋ１と、噴射ノズル２２によって造成された板状改良体ｔ２１’と板状改良体ｔ２２’と板状改良体ｔ２３’と板状改良体２４’からなる階段状板状改良体Ｋ２は、各々の所定箇所（本実施例では、階段状板状改良体Ｋ１の角部一か所目と階段状板状改良体Ｋ２の角部二か所目および、階段状板状改良体Ｋ１の角部三か所目と階段状板状改良体Ｋ２の造成終了箇所）が、噴射ノズル２１と噴射ノズル２２から硬化材液のジェット噴流が相互に阻害もしくは影響しあうことなく時間差で接合され、かつ四角形の箱型ブロックの改良体Ｂ２が図４のように造成できる。ここでは四角形の箱型ブロックＢ２の寸法はコラム状領域地盤Ｓの直径が３ｍの場合、先端開口部で水平方向に約１．２ｍ、垂直方向に約１．２ｍの大きさとなるが、所望するコラム状領域地盤Ｓの大きさや四角形の箱型ブロックの大きさや強度、同時造成したい四角形の箱型ブロックの数などによって、噴射ノズルの径および数および配置、階段造成工程でのロッド２１０の引き上げ距離と軸回転角度は自由に設定できる。また、ここでは階段状板状改良体を軸方向に二段造成する例を示したが、軸方向に所定段数連続造成することもできる。
【手続補正８】
【補正対象書類名】明細書
【補正対象項目名】００３４
【補正方法】変更
【補正の内容】
【００３４】図５および図６のロッドを用いて、噴射ノズル３１と噴射ノズル３２と噴射ノズル３３と噴射ノズル３４から硬化材液を噴射させながら、ロッド３１０を軸方向に１．２ｍ引き上げた後一方の周方向（この実施例ではロッドから周方向を見て右方向）に４５°軸回転する動作を二回連続して行った後引き続いて、ロッドを軸方向に１．２ｍ引き上げた後もう一方の周方向（この実施例ではロッドから周方向を見て左方向）に４５°軸回転した後軸方向に１．２ｍ挿入を行い、続けてもう一方の周方向（この実施例ではロッドから周方向を見て左方向）に４５°軸回転する動作をあわせて行う箱型ブロック造成工程により、まず板状改良体ｔ３１と板状改良体ｔ３１’〜板状改良体ｔ３１’’’、その次に板状改良体ｔ３２と板状改良体ｔ３２’〜板状改良体ｔ３２’’、その次に板状改良体ｔ３３と板状改良体ｔ３３’〜板状改良体ｔ３３’’’、その次に板状改良体ｔ３４と板状改良体ｔ３４’〜板状改良体ｔ３４’’’、その次に板状改良体ｔ３５と板状改良体ｔ３５’〜板状改良体ｔ３５’’’、その次に板状改良体ｔ３６と板状改良体ｔ３６〜板状改良体ｔ３６’’’、その次に板状改良体ｔ３７と板状改良体ｔ３７’〜板状改良体ｔ３７’’’、その次に板状改良体ｔ３８と板状改良体ｔ３８’〜板状改良体ｔ３８’’’を造成する。これにより、図７のように噴射ノズル３１により造成される板状改良体ｔ３４〜板状改良体ｔ３７により四角形の箱型ブロックＢ３が造成されると共に、同時に噴射ノズル３２により造成される板状改良体ｔ３４’〜板状改良体ｔ３７’により四角形の箱型ブロックＢ３と同じ形状の四角形の箱型ブロックの改良体Ｂ３’が、また噴射ノズル３３により造成される板状改良体ｔ３４’’〜板状改良体ｔ３７’’によっても四角形の箱型ブロックＢ３と同じ形状の四角形の箱型ブロックＢ３’’が、また噴射ノズル３４により造成される板状改良体ｔ３４’’’〜板状改良体ｔ３７’’’により四角形の箱型ブロックＢ３と同じ形状の四角形の箱型ブロックＢ３’’’が同時造成される。図面上繁雑になるため、図７には、噴射ノズル３１により造成される板状改良体ｔ３１〜板状改良体ｔ３８と四角形の箱型ブロックＢ３のみ図示した。